(57)【要約】【課題】美術感覚的に優れた芸術的な工芸品を提供する。【解決手段】陶磁器製の成形品１を装飾体２で装飾して制作した美術工芸品であって、成形品は、その表面に所望深さの凹部で形成した所望デザインの模様を有し、装飾体はプリザーブドフラワー、アートフラワー、アーティフィシャルフラワー及びドライフラワーから選択したフラワーの花弁部で形成した第１の装飾構成材３と、任意の素材で形成した第２の装飾構成材４とを備える。第１の装飾構成材の所望数の花弁部を前記凹部内に所望の形態でアレンジして配置して接着する。凹部内に配置した各花弁部間に形成された間隙空間部及び前記凹部内の空間部の全域に第２の装飾構成材を配置して接着し、第１及び第２の装飾構成材で前記成形体の表面を装飾する。【選択図】図１
0003206143.tif 000002
【実用新案登録請求の範囲】
【請求項１】
陶磁器製の成形品を装飾体で装飾して制作した美術工芸品であって、
前記成形品は、当該成形品の表面の所望部位に所望深さの凹部で形成した所望デザインの模様を有し、
前記装飾体は、プリザーブドフラワー、アートフラワー、アーティフィシャルフラワー及びドライフラワーの群から選択した一種又は複数種のフラワーの花弁部で形成した第１の装飾構成材を備え、
前記第１の装飾構成材の前記選択した所望数のフラワーの花弁部を前記凹部内に所望の形態でアレンジして配置すると共に前記凹部に接着して構成されている
ことを特徴とする美術工芸品。
【請求項２】
前記装飾体は、前記第１の装飾構成材と、任意の素材で形成した第２の装飾構成材とを備え、
前記凹部内に配置した前記各花弁部と各花弁部との間に形成された間隙空間部及び前記凹部内の空間部の全域に前記第２の装飾構成材を配置すると共に前記凹部に接着して構成されている
ことを特徴とする請求項１に記載の美術工芸品。
【請求項３】
前記第１及び第２の装飾構成材は、前記凹部内の壁面に直接接着されていることを特徴とする請求項１又は２に記載の美術工芸品。
【請求項４】
前記第１及び第２の装飾構成材は、前記凹部内の壁面にプラスチックフィルムそのフィルム材やシート材を介して接着されていることを特徴とする請求項１又は２に記載の美術工芸品。
【考案の詳細な説明】
【技術分野】
【０００１】
本考案は、陶磁器製の成形品を装飾体で装飾して制作した美術工芸品に関する。さらに詳しくは、陶磁器製の所望の形成品を、プリザーブドフラワー、アートフラワー、或いはアーティフィシャルフラワー等の花を主要な構成要素として含む装飾体で装飾して制作した美術工芸品に関する。
【背景技術】
【０００２】
従来より、例えばプリザーブドフラワーは、各種製品の装飾用として広く一般的に使用されている。
【０００３】
例えば、特許文献１には、受け皿に設けた貫通孔にプリザーブドフラワーの茎部を差し込んで装着すると共に透明容器で前記フラワーを覆わせて構成した装飾用容器が開示されている。
【０００４】
また、特許文献２には、ケーキ状の装飾置物であって、ケーキ本体の上面の中央部にパワーストーンを配置すると共に、その周囲に複数のプリザーブドフラワーを配置して構成した装飾置物が開示されている。
【０００５】
さらに、特許文献３には、額の表面にプリザーブドフラワーと「ゲビュルツ・シュトラウス」などと称されるオーストリア風工芸とを組み合わせて配置して構成した装飾額が開示されている。
【先行技術文献】
【特許文献】
【０００６】
【特許文献１】特開２００７−４４４５１号公報
【特許文献２】実用新案登録第３１７３５９９号公報
【特許文献３】特開２００６−１６８０９１号公報
【考案の概要】
【考案が解決しようとする課題】
【０００７】
特許文献１ないし３に記載の発明ないし考案（先行技術）によれば、それぞれ特性を有する装飾製品が得られる。しかし、先行技術の製品は、表現技術や芸術的な思考等において物足りない面があるように思われる。
【０００８】
そこで、本考案は発想を転換して、新規斬新的な技術によって、美術感覚的に優れた芸術的作品を提供することを目的とするものである。
【課題を解決するための手段】
【０００９】
上記目的を達成するため、本考案うち１つの考案（第１の考案）は、陶磁器製の成形品を装飾体で装飾して制作した美術工芸品であって、
前記成形品は、当該成形品の表面の所望部位に所望深さの凹部で形成した所望デザインの模様を有し、
前記装飾体は、プリザーブドフラワー、アートフラワー、アーティフィシャルフラワー及びドライフラワーの群から選択した一種又は複数種のフラワーの花弁部で形成した第１の装飾構成材を備え、
前記第１の装飾構成材の前記選択した所望数のフラワーの花弁部を前記凹部内に所望の形態でアレンジして配置すると共に前記凹部に接着して構成されていることを特徴とする。
【００１０】
本考案において、適応する「陶磁器製の成形品」の大きさや種類等は特に限定するものではない。例えば、陶器製及び磁器製の装飾皿類、装飾器類、容器類、額類その他の各種の所望の製品に広く適応できる。
【００１１】
プリザーブドフラワーは、生花の組織液を保存薬で置換した加工花である。プリザーブドフラワーは、花、特に花弁（花びら）に鮮やかさや瑞々（みずみず）しさがあり、これを長期（数年）にわたって保持できる。
【００１２】
アートフラワーは、布地をプレス等で所望の花びら（花弁）形状に型抜きして、所望色に染色して作成した花である。また、アーティフィシャルフラワーは、ポリエステルやポリエチレン等のプラスチックで成形加工した花である。さらにまた、ドライフラワーは、生花を特殊な方法により乾燥加工した花である。アートフラワー、アーティフィシャルフラワー及びドライフラワーも美的に極めて優れた特長を有し、これを長期（数年）にわたり保つことができる。
【００１３】
本考案において、前記各フラワーの花の種類は特に限定するものではない。この点については、追って「考案を実施するための形態」の項で詳細に説明する。
【００１４】
本考案の他の１つの考案（第２の考案）は、第１の考案の美術工芸品において、前記装飾体は、前記第１の装飾構成材と、任意の素材で形成した第２の装飾構成材とを備え、
前記凹部内に配置した前記各花弁部と各花弁部との間に形成された間隙空間部及び前記凹部内の空間部の全域に前記第２の装飾構成材を配置すると共に前記凹部に接着して構成されていることを特徴とする。
【００１５】
第２の考案において、前記装飾体の「第２の装飾構成材」はその素材や製造法等については特に限定されない。例えば、プリザーブドフラワー或いはドライフラワーと同様に加工処理したグリーンボールやライスフラワーその他の植物を採用できる。また、アートフラワーやアーティフィシャルフラワーと同様の方法で任意の形状に形成したものも採用できる。なお、第２の装飾構成材については、追ってさらに説明する。
【００１６】
本考案において、前記第１及び第２の装飾構成材は、前記凹部内の壁面に直接接着して設ける構成を採用することができる（第３の考案）。
【００１７】
また、本考案において、前記第１及び第２の装飾構成材は、前記凹部内の壁面にプラスチックフィルムその他のフィルムやシート材を介して接着して設ける構成を採用することができる（第４の考案）。
【００１８】
なお、本考案は、所望に応じて前記、装飾体上の所望の部位にビーズその他の所望の装飾品をさらに備える構成を採用してもよい。
【考案の効果】
【００１９】
本考案によれば、次のような作用効果を奏する。
（１）気品と優雅さとを兼ね備えた工芸作品を提供することができる。
（２）美的感覚に優れた芸術的な工芸作品を提供することができる。
（３）陶磁器製の成形品の表面に凹部で形成した所望デザインの模様を形成し、前記凹部内にプリザーブドフラワーその他のフラワーの花弁部を所望の形状でアレンジして配置して成形体を装飾するように構成したので、従来技術とは全く異なる装飾技術を提供することができる。
（４）前記凹部により形成した模様は凹部内に配置した装飾体により所望デザインの装飾模様になる。
【図面の簡単な説明】
【００２０】
【図１】本考案の一実施形態の美術工芸品の構成を概略的に示す説明斜視図である。
【図２】前記美術工芸品の構成を概略的に示す平面図（ａ）と説明側面図（ｂ）である。
【図３】前記美術工芸品の陶磁器製の成形品の構成を概略的に示す図であって、同図（ａ）は説明平面図、同図（ｂ）は説明側面図である。
【図４】図３（ａ）のＡ−Ａ線説明断面図である。
【図５】図３（ｂ）のＢ−Ｂ線説明断面図である。
【図６】美術工芸品の装飾体に採用したプリザーブドフラワーの一例を概略的に示す説明斜視図（ａ）と説明側面図（ｂ）である。
【図７】前記プリザーブドフラワーの切断工程を示す説明図であって、同図（ａ）は切断する工程を示す説明図、同図（ｂ）は切断後の状態を示す説明図である。
【図８】前記美術工芸品の一部を拡大し、その構成を概略的に示す説明断面図である。
【図９】前記陶磁器製の成形品に形成した凹部内にプラスチックフィルムを接着して設ける工程を示す説明図である。
【考案を実施するための形態】
【００２１】
以下、図面を参照して本考案の美術工芸品の実施形態の一例について説明する。
【００２２】
図１ないし図９は、本考案の一実施形態の美術工芸品を示す。
【００２３】
図１ないし図９に示すように、本実施形態の美術工芸品は、陶磁器製の成形品１と、成形品１の表面を装飾する装飾体２とを備える。
【００２４】
成形品１は陶器又は磁器で製造する。本実施形態では陶器製の成形品１を採用している。
【００２５】
前記成形品１の大きさや形状等は特に限定するものではなく、所望に応じて自由に決定する。本実施形態では、直径約３０ｃｍ程度、高さ約１２ｃｍ程度の装飾食器状（鉢状）に形成した陶器製の成形体を採用した例が開示されている。
【００２６】
なお、前記成形品は一例として開示したもので、上述したように、所望の大きさの陶器製又は磁器製の装飾皿類や容器類、或いは額類その他の所望の陶磁器製の製品を採用できること勿論である。
【００２７】
成形品１は、成形品１の表面の所望の部位に所望の深さの凹部で形成した所望デザインの模様を有している。本実施形態では、成形品１の内側表面（本実施形態では見込部の表面）及び外側表面（本実施形態では銅部（胴部）ないし腰部の表面）に所望の深さ（例えば約５ｍｍ〜約８ｍｍ程度）の凹部１０ａ，１０ｂで形成した所望デザインの模様１１ａ，１１ｂを形成した例が開示されている。
【００２８】
前記模様を形成する凹部１０ａ，１０ｂは、例えば胎土（粘土）で所望の大きさ、形状に成形した成形品（以下、「胎土成形体」という）の胎土（粘土）が生乾きの状態で形成する。
【００２９】
なお、前記胎土成形体は成形型を使用して成形することもできる。成形型で胎土成形体を成形する場合には、前記凹部１０ａ，１０ｂも同時に形成することができる。
【００３０】
上述したように、成形品１には所望の深さの凹部を形成するため、前記胎土成形体の肉厚は凹部の深さに対応して厚めに形成することが好ましい。本実施形態では、約１０ｍｍないし約１５ｍｍ程度の肉厚に形成されている。但し、上記範囲に限定するものではない。
【００３１】
本実施形態のように、成形品１の内側表面及び外側表面に前記凹部１０ａ，１０ｂを設ける場合には、凹部１０ａと１０ｂは形成部位を重合させないで、異なる部位に設ける。
【００３２】
成形品１の胎土成形体は上記のように構成する。そして、常法と同様に胎土成形体を素焼した後、釉薬等をかけ、所望温度で本焼して陶器製の成形品１を製造する。
【００３３】
上記により、成形品の内側表面及び外側表面の所望の部位に所望の深さの凹部１０ａ，１０ｂで形成した所望デザインの模様１１ａ，１１ｂを有する陶器製の成形品１（本焼製品）が得られる。
【００３４】
前記装飾体２は前記成形品１の表面を装飾するものである。
【００３５】
本実施形態の装飾体２は、第１の装飾構成材３と第２の装飾構成材４と備える。
【００３６】
第１の装飾構成材２ａは、プリザーブドフラワー、アートフラワー、アーティフィシャルフラワー、及びドライフラワーの群から選択した一種又は複数種のフラワーの花弁部（花びら部）で形成されている。
【００３７】
前記プリザーブドフラワーその他の各フラワーは、一般に市販されている各フラワーを適宜選択して採用できる。本実施形態では花弁部として、プリザーブドフラワーの花弁部を採用している。
【００３８】
前記プリザーブドフラワーの種類は特に限定されるものではなく、例えば、バラ、菊、カーネーション、スイートピー、ダリアその他所望の花を任意に選択して採用できる。また、花弁部（花びら部）の色も所望の色ものを採用できる。これらの点については、アートフラワー、アーティフィシャルフラワー及びドライフラワーについても同様である。
【００３９】
本実施形態では、第１の装飾構成材３は、所望数のバラの花弁部３０、菊の花弁部３１、及びチューベローズの花弁部３２を使用して形成されている。
【００４０】
上記の場合において、第１の装飾構成材３として、例えば大きなバラ等を採用する場合には、花弁部２０の高さが高過ぎるため、図７（ａ）に示すように花弁部２０を、その高さ方向の中間部位でカット２１し、先端部側の花弁部３０を使用する。
【００４１】
第１の装飾構成材３は、所望数のバラ、菊及びチューベローズの花弁部３０、３１及び３２を前記成形品１の凹部１０ａ及び１１ａ内に所望の形態でアレンジして配置し、前記両凹部内の壁面に直接又はプラスチックフィルムその他のフィルム材やシート材を介して接着する。
【００４２】
本実施形態では、図８に示すように、プラスチックフィルム５を介して前記各花弁部を前記凹部内の壁面に接着して構成した例が開示されている。
【００４３】
具体的には、図９に示すように、前記両凹部１０ａ，１０ｂのデザイン模様１１ａ，１１ｂと略適合する大きさ及び形状の介装材をプラスチックフィルム５で作成する。そして、前記フィルム５を各凹部１０ａ，１０ｂ内の壁面に点接着して配設し、前記プラスチックフィルム５の上面に前記各花弁部３０，３０を接着する。
【００４４】
第２の装飾構成材４は、任意の素材で形成する。例えば、プリザーブドフラワー或いはドライフラワーと同様に加工処理した植物を採用できる。また、アートフラワー或いはアーティフィシャルフラワーと同様の方法で任意の形状に形成したものも採用できる。
【００４５】
第２の装飾構成材４は、一般に市販されている所望色のグリーンボールやライスフラワーその他の所望の形状に形成したものを任意に選択して採用できる。
【００４６】
本実施形態の第２の装飾構成材は、グリーンボール４０及びライスフラワー４１を使用して形成されている。グリーンボール４０及びライスフラワー４１は種々の色のものがある。本実施形態では、薄紫色のグリーンボール及び赤色のライスフラワーを採用している。
【００４７】
第２の装飾構成材４は、前記各凹部１０ａ，１０ｂ内に配置して設けた前記各花弁部と前記各花弁部との間に形成された間隙空間部及び前記各凹部内の空間部の全域に配置し、前記凹部内の壁面に直接又はプラスチックフィルムその他のフィルム材やシート材を介して接着されている。
【００４８】
本実施形態では、第１の装飾構成材と同様に前記プラスチックフィルム５の上面に接着した例が開示されている。
【００４９】
また、本実施形態では、前記各花弁部間の間隙空間部にはグリーンボール４０が使用されている。具体的には、グリーンボールを適当な大きさにち切り、当該ち切り体を前記間隙空間部に隙間なく並べて配置して凹部内に接着されている。この場合において、グリーンボールは図８に示すように、上端部が前記凹部から突出させることなく、成形品の表面壁と略面一になるように配置することが好ましい。また、グリーンボールは凹部の縁部から凹部外へはみ出すことなく凹部で形成した模様線と一致するように配置することが好ましい。
【００５０】
前記第２の装飾構成材４のライスフラワー４１は、本実施形態では、図１及び図２（ａ）に示すように、前記凹部の先細先端部等に配置して接着した例が開示されている。
【００５１】
なお、グリーンボール及びライスフラワーの配置形態は一例として開示したもので、任意に変更できること勿論である。
【００５２】
また、本実施形態では、装飾体２の所望の部位にビーズ６等の装飾品を配置して設けてある。前記ビーズ６等は所望に応じて設けるもので、ビーズ以外の他の装飾品を設けることも可能である。
【００５３】
本実施形態の美術工芸品は上記構成を具備して制作されている。本実施形態によれば、上述したような諸効果を奏する芸術的な工芸作品を提供することができる。
【００５４】
なお、上記実施形態の成形品は一例として開示したもので、本考案は陶器製及び磁器製の装飾皿類や容器類、或いは額類その他の所望の陶磁器製の成形品を採用できるものである。
【００５５】
また、上記実施形態では、プリザーブドフラワーの花弁部を採用した例を開示したが、本考案は上述したように、アートフラワー、アーティフィシャルフラワー及びドライフラワーの花弁部を採用できるものである。
【００５６】
さらにまた、上記した実施形態は一例として開示したもので、本考案は上記実施形態に限定されるものではなく、実用新案登録請求の範囲に記載の技術思想を越脱しない範囲において任意に変更可能なものである。
【符号の説明】
【００５７】
１        陶磁器製の成形品
２        装飾体
３        第１の装飾構成材
４        第２の装飾構成材
５        プラスチックフィルム
６        ビーズ
１０ａ，１０ｂ      凹部
１１ａ，１１ｂ      模様
３０，３１，３２    フラワーの花弁部
４０      グリーンボール
４１      ライスボール
【図１】
0003206143.tif 000003
【図２】
0003206143.tif 000004
【図３】
0003206143.tif 000005
【図４】
0003206143.tif 000006
【図５】
0003206143.tif 000007
【図６】
0003206143.tif 000008
【図７】
0003206143.tif 000009
【図８】
0003206143.tif 000010
【図９】
0003206143.tif 000011